(57)【特許請求の範囲】
【請求項１】
筐体（２）の上面にシート（３）を張設し、筐体（２）内に揉みローラー（８）を有し、前記シート（３）の患者頚部が載る部分を伸縮性面状部材（５）とし、前記筐体（２）とシート（３）との間に、体重を支える下シート（６）を付加設置し、前記下シート（６）にシート（３）の伸縮性面状部材（５）の下方に位置する部分に穴（４）を開けたマッサージ機（１）において、
前記揉みローラー（８）は高さ調節手段（１８）で支持されており、揉みローラー（８）の高さを高さ調節手段（１８）で調節し、前記下シート（６）で患者頸部と揉みローラー（８）との距離を一定距離に維持し、前記穴（４）から揉みローラー（８）を上方へ突出させ、伸縮性面状部材（５）上に位置する患者頚部をマッサージすることを特徴とする伸縮性面状部材付マッサージ機。
【発明の詳細な説明】
【０００１】
【産業上の利用分野】
本発明は、座姿勢又は仰臥姿勢の人体（以下患者という）に後背部から頚部、体幹及び下肢にマッサージを施す伸縮性面状部材付マッサージ機に関する。
【０００２】
【従来の技術】
従来の技術として、特開平８−３３６８７号公報に、キャンバスシート、モミ輪と複数のローラーを備えたユニット、基台となる台車、複数のベルト部材、弛みを持って設けられるモミカバー等とからなるベッド型マッサージ機が開示されている。
【０００３】
【発明が解決しようとする課題】
前記した従来装置は、モミカバーを弛みを持たせて複数のベルト部材間に設け、モミカバーを介してモミ輪が患者に十分な揉捏感を与えることができるものであるが、モミカバーの弛みの適正量が分かりにくいものであり設定しにくいものであった。弛みが多過ぎるとモミカバーがモミ輪に巻き付いたり回転抵抗になり危険であり、又、少な過ぎるとモミカバーがすぐ緊張してしまいモミ輪の圧力が患者の所望箇所に及ばないことになる。
【０００４】
本発明の目的は、上記難点を解消したものであり、簡易な構成で所望箇所を好適に安全にマッサージできる伸縮性面状部材付マッサージ機を提供することにある。
【０００５】
【課題を解決するための手段】
即ち本発明は、筐体（２）の上面にシート（３）を張設し、筐体（２）内に揉みローラー（８）を有し、前記シート（３）の患者頚部が載る部分を伸縮性面状部材（５）とし、前記筐体（２）とシート（３）との間に、体重を支える下シート（６）を付加設置し、前記下シート（６）にシート（３）の伸縮性面状部材（５）の下方に位置する部分に穴（４）を開けたマッサージ機（１）において、前記揉みローラー（８）は高さ調節手段（１８）で支持されており、揉みローラー（８）の高さを高さ調節手段（１８）で調節し、前記下シート（６）で患者頸部と揉みローラー（８）との距離を一定距離に維持し、前記穴（４）から揉みローラー（８）を上方へ突出させ、伸縮性面状部材（５）上に位置する患者頚部をマッサージすることを特徴とする伸縮性面状部材付マッサージ機である。
【０００６】
【作用】
本発明に係る筐体２に張設したシート３上に患者を仰臥させ、前記シート３の患者頚部が載置される部分を伸縮性面状部材５となし、患者頚部に対しては伸縮性面状部材５を介して、揉みローラー８を下から押し当てマッサージする。
【０００７】
患者頚部と揉みローラー８の間にある伸縮性面状部材５は、揉みローラー８で押し上げられ柔軟性をもって患者頚部に添い、揉みローラー８は患者頚部によく添い好適に押圧する。
【０００８】
筐体２とシート３との間に設けられる下シート６はに、シート３の伸縮性面状部材５の下方部分に穴４が開けられており、この穴４から揉みローラー８が、上方へ突出状に臨む。
【０００９】
穴４から突出した揉みローラー８は、伸縮性面状部材５を押し上げ、該伸縮性面状部材５上に位置する患者頚部を好適に押圧しマッサージする。
又、下シート６はシート３上に乗る患者の体重を一定の弛みを持って支持し、患者を一定高さに維持する。
【００１０】
【実施例】
図１、２、３に本発明の実施例に係るマッサージ機１を示しており、図２にはマッサージ機１中の揉みローラー８を示している。筐体２の上面にはシート３が張設される。
【００１１】
前記シート３において、シート３上に仰臥する患者の頚部が載置される部分（＝頚部載置部）を、伸縮性を有し面状の形態をなす伸縮性面状部材５で形成する。
【００１２】
前記筐体２内には患者の頚部をマッサージする揉みローラー８が設けられる。移動台車９には、揉みローラー８及び該ローラー８ａを回転させる揉みローラー電動機１３が載設される。
【００１３】
筐体２内の前・後部２ａ・２ｂに亘って走行軌道１６が架け渡され、移動台車９は走行軌道１６上に移動可能に載設される。走行軌道１６の後部１６ｂは筐体２の縦枠１７に軸支され、走行軌道１６の前部（＝図３に示す走行軌道１６の紙面左部）１６ａは高さを調節する高さ調節手段１８で支持される。
【００１４】
走行軌道１６の下方に移動用電動機１９、ネジ軸２０等でなる移動手段２１が設けられ、該ネジ軸２０に移動台車９から垂下取着される雌ネジ体２２が螺着され、ネジ軸２０の回動により雌ネジ体２２及び移動台車９は筐体２の前後方向に移動させられる。
【００１５】
図２に示す揉みローラー８は、ローラー８ａの左右端に該ローラー８ａ径より大径の左・右円板２３・２４が、側面視ハ字形状に取着される。ローラー８ａ及び左・右円板２３・２４の偏心位置には偏心軸２５が設けられ、該偏心軸２５は枠７に取着される。
【００１６】
左・右円板２３・２４の外周部には各円板に対して回転自在にそれぞれ自在環１５が取着される。
【００１７】
偏心軸２５を揉みローラー用電動機１３で回転させると、左・右円板２３・２４は、偏心軸２５で支持されている故に上下に振動し上方へ突出して伸縮性面状部材５を押し上げ、或いは下方へ退入し、又、側面視ハ字形状に取着されている故に左右に振れながら回転する。
尚、１０は脚、１１は車輪、１２はチェンである。
【００１８】
実施例を使用する際は、シート３上に患者が仰臥する。頚部を伸縮性面状部材５の上に位置させる。
【００１９】
揉みローラー８の高さ（＝垂直方向の位置）を高さ調節手段１８で適宜に調節する。移動手段２１で移動台車９を所定範囲の前後方向に往復移動させながらマッサージを行なう。
【００２０】
頚部のマッサージは、偏心軸２５を回転させることにより揉みローラー８を回転させながら、伸縮性面状体５を介して患者頚部を押圧・揉捏する。
揉みローラー８の自在環１５は左・右円板２３・２４に回動自在に取着されているのでシート３に接触しながら移動すると、シート３との摩擦抵抗により回動する。
【００２１】
筐体２とシート３との間に、体重を支える下シート６を付加設置し、該下シート６の頚部載置部には穴４が開いている。
【００２２】
前記下シート６は、頚部載置部に開けられた穴４から揉みローラー８が、上方へ突出して臨む。
【００２３】
穴４から突出した揉みローラー８は、シート３に設けられた伸縮性面状部材５を押し上げ、該伸縮性面状部材５上に位置する頚部に好適に当接の上押圧・揉捏する。
【００２４】
又、下シート６はシート３上に乗る患者の体重を支持し、患者を一定の弛みを持って支持する。その結果、下シート６は筐体２内の揉みローラー８と患者の頚部その他の部位との距離を一定距離に維持する。
【００２５】
【発明の効果】
本発明は、シート３の頚部載置部を伸縮性面状部材５としたものである。患者が仰臥姿勢の時、例えば、患者の頚部は肩や頭より上位にあり、該頚部に揉みローラー８等が作用しにくいが、頚部と左・右円板２３・２４の間にある伸縮性面状部材５が、頚部に押されて伸展し左・右円板２３・２４が頚部に好適に添うものとなり、従って、揉みローラー８の押圧刺激や揉み刺激が頚部に適切に付与され、頚部のマッサージ効果を向上でき、好都合である。
【００２６】
従来の弛みを持たせた布では、弛みの適正量が分かりにくく、弛みが多いと揉みローラー８に巻き付き回転抵抗になり危険であり、又、弛みが少ないと布が左・右円板２３・２４に押されて緊張し、左・右円板２３・２４間への頚椎の進入を妨げ、左・右円板２３・２４が好適に頚椎に当接しないという不都合があったが、伸縮性面状部材５を用いた本発明はこれらの不都合点を解決し、安全にしかもゴワゴワした異和感なしに、接触感及び揉み感を良好にでき、好都合である。
【００２７】
又、筐体２とシート３との間に、体重を支える下シート６を付加設置し、該下シート６の頚部載置部に穴４を開けたものであるから、下シート６で体重を確実に支えることができ、患者のマッサージ部位を所定の高さに確保できる。従って、患者頚部と揉みローラー８との間隔を一定に確保でき、マッサージ強さの設定（＝揉みローラー８の高さ調節）が正確となり、強さの誤差を少なくして好適なマッサージを行なえ、好都合である。
又、患者頚部に対しては、穴４から揉みローラー８を突出させて好適なマッサージを行え、好都合である。
【図面の簡単な説明】
【図１】本発明の実施例の斜視図である。
【図２】本発明の実施例における揉みローラーの部分図である。
【図３】本発明の実施例の内部を透視した右側面図である。
【符号の説明】
１  マッサージ機
２  筐体
３  シート
４  穴
５  伸縮性面状部材
６  下シート
８  揉みローラー
【図１】
0003547697.tif 000002
【図２】
0003547697.tif 000003
【図３】
0003547697.tif 000004